(57)【要約】  本体、本体に配置されるスウィッチ及び本体に結合されスウィッチの外面に対して間隔を置いて配置されるスウィッチガードを備える微細手術装置用のフットコントローラ。【選択図】図１
2009511166.tif 000002
【特許請求の範囲】
【請求項１】
本体と、
ユーザーの足の側面により前記本体から離れてほぼ水平方向へ操作することができる、前記本体に配置されるスウィッチと、
前記本体に結合されかつ前記スウィッチの外面に対して間隔を置いて配置されるスウィッチガードと、を備え、
該スウィッチガードが前記スウィッチを前記ほぼ水平方向へ完全に操作できることを保証している、微細手術装置用のフットコントローラ。
【請求項２】
前記スウィッチガードが前記スウィッチを前記ほぼ水平方向へ操作できる第二の距離より大きな第一の距離分間隔を置いて配置されることを特徴とする、請求項１に記載のフットコントローラ。
【請求項３】
前記スウィッチガードが前記スウィッチの前記外面に対してほぼ平行に間隔を置いて配置されることを特徴とする、請求項１に記載のフットコントローラ。
【請求項４】
前記スウィッチガードが前記本体に結合されるベース部材及び前記スウィッチを前記ほぼ水平方向へ完全に操作できるようにするために前記ベース部材に結合されるブレード部材を備えることを特徴とする、請求項１に記載のフットコントローラ。
【請求項５】
前記本体が水平面に前記フットコントローラを支えるためのベースを有し、かつ前記ほぼ水平方向が前記水平面に対して平行の水平方向である、ことを特徴とする、請求項１に記載のフットコントローラ。
【請求項６】
前記水平面が床であることを特徴とする、請求項１に記載のフットコントローラ。
【発明の詳細な説明】
【技術分野】
【０００１】
本発明は一般的に微細手術装置に関する。特に、限定的ではなく、本発明はこの種の装置の操作のためのフットコントローラに関する。
【背景技術】
【０００２】
各種のフットコントローラが微細手術装置特に眼科微細手術に使用される。眼科手術中に、医師は手術用顕微鏡を通して患者の眼を見る。外科手術の様々な時点で微細手術装置及びそのハンドピースを制御するために、医師は手術装置の機械設定をどのように変えるかを看護婦に指示するか、設定を変えるためにフットコントローラを使用しなければならない。可能な場合には、多くの医師がフットコントローラを用いて手術装置の機械設定を変えて、外科手術中看護婦と会話する必要を省くほうを好む。
【０００３】
多くの従来のフットコントローラは、手術装置またはそのハンドピースの機能を線形制御するフットペダル、及びこの機能を二進制御する一連のスウィッチまたはボタンを有する。眼科微細手術装置用のフットコントローラの例は国際出願公示第ＷＯ ００／１２０３７号、ＷＯ ９９／１４６４８号、 ＷＯ ９８／０８４４２号、 ＷＯ ９６／１３８４５号及び ＷＯ ０２／０１３１０号、及び米国特許第４，８３７，８５７号、 ４，９６５，４１７号、 ４，９８３，９０１号、 ５，０９１，０５６号、 ５，２６８，６２４号、 ５，５５４，８９４号、 ５，５８０，３４７号、 ５，６３５，７７７号、５，７８７，７６０号、 ５，９８３，７４９号、 ６，１７９，８２９号、 ６，６３９，３３２号及び ６，６５９，９９８号（ＵＳ−４，８３７，８５７、 ＵＳ−４，９６５，４１７、 ＵＳ−４，９８３，９０１、ＵＳ− ５，０９１，０５６、ＵＳ− ５，２６８，６２４、 ＵＳ−５，５５４，８９４、ＵＳ− ５，５８０，３４７、 ＵＳ−５，６３５，７７７、ＵＳ−５，７８７，７６０、 ＵＳ−５，９８３，７４９、 ＵＳ−６，１７９，８２９、ＵＳ− ６，６３９，３３２及び ＵＳ−６，６５９，９９８）において開示されており、これらは全て参照により本明細書に組み込まれる。
【発明の開示】
【発明が解決しようとする課題】
【０００４】
しかし、従来のフットコントローラのペダル、ボタン及びスウィッチの適切な操作は、腰掛、移動ベッドの脚、備品または設備のピースの垂直壁部など手術室の床の上またはその近くの障害物など特定の手術室の条件によって妨げられる可能性がある。従っていまだに改良フットコントローラが必要とされる。
【課題を解決するための手段】
【０００５】
本発明は微細手術用の改良フットコントローラに関する。１つの態様において、フットコントローラは本体、本体に配置されるスウィッチ、及び本体に結合されかつスウィッチの外面に対して間隔を置いて配置されるスウィッチガードを備える。スウィッチは、ユーザーの足の側面によって本体から離れてほぼ水平方向へ操作可能である。スウィッチガードはスウィッチをほぼ水平方向へ完全に操作できるようにする。
【０００６】
本発明及びその目的及び利点をより完璧に理解できるように、添付図面と一緒に以下の説明を参照する。図１は本発明の望ましい実施態様に係る微細手術装置のフットコントローラの上面斜視図である。
【発明を実施するための最良の形態】
【０００７】
本発明の望ましい実施態様及びその利点は、インターフェイス１４通じて微細手術装置１２に電気的に結合されるフットコントローラ１０を示す図１を参照することによってよく分かる。微細手術装置１２は眼科微細手術装置であることが好ましいが、その代わりに、耳、鼻、喉またはその他の手術を行うための装置を含めて任意の微細手術装置とすることができる。インターフェイスはケーブルであることが好ましいが、その代わりに従来の電気インターフェイスとすることができる。
【０００８】
フットコントローラ１０は、手術室の床の上でフットコントローラ１０を支えるベース１８を持つ本体を備えることが好ましい。本体１６は、フットペダル２０、かかと休め２２、左足指スウィッチ２４、右足指スウィッチ２６、左ヒールスウィッチ２８、右ヒールスウィッチ３０及びハンドル３２および３３を備えることが好ましい。
【０００９】
フットペダル２０は線３５に沿って本体１６に回転式に結合されることが好ましい。図１に示される通り、フットペダル２０は完全押し下げポジションにロックされる。ただし、完全未押し下げポジション（図には示されていない）から図１に示される完全押し下げポジションへ動かすために医師の足の上部を用いてフットペダル２０を操作することができる。フットペダル２０は微細手術装置１０の特定の機能を比例制御するために医師によって使用される。例えば、装置１０の動作モードに応じて、硝子体切除プローブ切除速度、超音波ハンドピース出力またはハンドピースに送られる真空レベルを比例制御するためにフットペダル２０を使用することができる。
【００１０】
左足指スウィッチ２４、右足指スウィッチ２６、左ヒールスウィッチ２８及び右ヒールスウィッチ３０は微細手術装置の様々な動作モードの間で切り替えるために同様に医師によって使用される。左足指スウィッチ２４は二重モード二進スウィッチであることが好ましい。スウィッチの第一のモードは医師がその足指でスウィッチ２４を押し下げると操作される。この第一のモードは本明細書においては左垂直スウィッチ２４ａと呼ばれる。スウィッチ２４の第二のモードは医師がその足の側面でスウィッチ２４をほぼ外向き水平方向へ押すと操作される。この第二のモードは本明細書において左水平スウィッチ２４ｂと呼ばれる。スウィッチ２４はユーザーに触覚フィードバックを与える瞬間操作タイプのスウィッチであることが好ましい。スウィッチ２４はＯｔｔｏ  Ｃｏｎｔｒｏｌｓ  ｏｆ  Ｃａｒｐｅｎｔｅｒｖｉｌｌｅ（イリノイ州）が市販する２つの部品番号Ｐ３−３０１２５スウィッチ（１つは左垂直スウィッチ２４ａ用、もう１つは左水平スウィッチ２４ｂ用）を用いて構成されることが好ましい。
【００１１】
右足指スウィッチ２６も二重モード二進スウィッチである。スウィッチ２６の第一のモードは医師がその足指でスウィッチ２６を押し下げると操作される。この第一のモードは本明細書において右垂直スウィッチ２６ａと呼ばれる。スウィッチ２６の第二のモードは医師がその足の側面でスウィッチをほぼ外向きに水平方向へ押すと操作される。この第二のモードは本明細書において右水平スウィッチ２６ｂと呼ばれる。スウィッチ２６はユーザーに触覚フィードバックを与える瞬間操作タイプのスウィッチであることが好ましく、スウィッチ２４と同じように構成されることが好ましい。
【００１２】
左ヒールスウィッチ２８は医師がそのかかとで押し下げると作動する二進スウィッチであることが好ましい。右ヒールスウィッチ３０は医師がそのかかとで押し下げると作動する二進スウィッチである。スウィッチ２８及び３０はユーザーに触覚フィードバックを与える瞬間操作タイプのスウィッチであることが好ましい。スウィッチ２８及び３０は各々Ｏｔｔｏ  Ｃｏｎｔｒｏｌｓ  ｏｆ  Ｃａｒｐｅｎｔｅｒｖｉｌｌｅ（イリノイ州）が市販する２つの部品番号Ｐ３−３０１２５スウィッチを用いて構成されることが好ましい。
【００１３】
フットコントローラ１０は、２つのスウィッチガード３４及び３６も持つことが望ましい。スウィッチガード３４と３６は構造上同じである。スウィッチガード３４及び３６は、本体に結合されるベース部材３８及び左足指スウィッチ２４または右足指スウィッチのうち一方を保護するためにベース部材３８に結合されるブレード部材を持つことが好ましい。ブレード部材４０は各々左足指スウィッチ２４及び右足指スウィッチ２６の外面から間隔を置いてほぼ平行に配置されることが好ましい。ブレード部材４０は、左水平スウィッチ２４及び右水平スウィッチ２６ｂの操作距離より大きい距離４４だけ外面４２から間隔が置かれる。従って、手術中、スウィッチガード３４及び３６は、医師が手術室の床上の周辺障害物に関係なく左水平スウィッチ２４ｂ及び右水平スウィッチ２４ｂを完全に操作できるようにする。
【００１４】
上記のように、本発明は微細手術装置用の改良フットコントローラを提供する。本発明は本明細書において例として示されており、当業者は様々な修正を加えることができる。例えば、本発明は本明細書において特定の形状を有するスウィッチガード３４及び３６を持つものとして説明されているが、形状が水平スウィッチの完全な操作を保証するものであれば他の形状のフッ足指スウィッチガードが可能である。別の例として、スウィッチ２４及び２６は本明細書において左水平スウィッチ２４及び右水平スウィッチ２６ｂとして操作できるものとして説明されているが、手術室の床に正確に平行ではなく垂直（手術室の床に直交）操作に至らないほぼ水平方向にこれらのスウィッチを操作することができる。
【００１５】
本発明の作用及び構成は以上の説明から明らかであろう。上に示される装置及び方法は望ましいものとして特徴付けられているが、特許請求の範囲において定義される本発明の精神及び範囲から逸脱することなくこれに様々な変更及び修正を加えることができる。
【図面の簡単な説明】
【００１６】
【図１】本発明の望ましい実施態様に係る微細手術装置のフットコントローラの上面斜視図である。
【図１】
2009511166.tif 000003